(57)【要約】【課題】  ユニバーサルシリアルバス応用装置の提供。【解決手段】  ケース層で載置板を被覆してなるＵＳＢプラグを具え、該載置板の上表面が複数の第１接続端子を載置するのに用いられ、該載置板の底表面とＵＳＢプラグのケーシング層の間に自然に板底挟持層が形成され、板底挟持層内部に少なくとも一つの電子装置が固定され、ＵＳＢ電子応用モジュールの長さを縮減でき、或いはＵＳＢ電子応用モジュールの作業機能を増すことができる。また載置板の第１接続端子未設置の上表面に、少なくとも一つの板上データ伝送回路を増設可能で、これによりユニバーサルシリアルバス応用装置の作業機能を向上できる。【選択図】        図３
2006128061.tif 000002
【特許請求の範囲】
【請求項１】
ＵＳＢプラグにＵＳＢ電子応用モジュールが接続され、該ＵＳＢプラグがケース層で載置板を被覆してなり、該載置板の上表面とケース層の間に接続挟持層が形成され、並びに載置板の上表面にＵＳＢ電子応用モジュールと電気的に接続可能な複数の第１接続端子が固定され、該接続挟持層が対応するＵＳＢソケットとの接続に供され、且つＵＳＢソケットが接続挟持層に挿入される時、該第１接続端子がＵＳＢソケット内に固定された複数の第２接続端子と電気的接続を形成し、またＵＳＢプラグ内部の載置板の底表面とケース層の間に板底挟持層が形成され、該載置板の底表面に少なくとも一つの電子装置が固定されたことを特徴とする、ユニバーサルシリアルバス応用装置。
【請求項２】
ＵＳＢプラグにＵＳＢ電子応用モジュールが接続され、該ＵＳＢプラグが非金属ケース層で載置板を被覆してなり、該載置板の上表面とケース層の間に接続挟持層が形成され、並びに載置板の上表面にＵＳＢ電子応用モジュールと電気的に接続可能な複数の第１接続端子が固定され、該接続挟持層が対応するＵＳＢソケットとの接続に供され、且つＵＳＢソケットが接続挟持層に挿入される時、該第１接続端子がＵＳＢソケット内に固定された複数の第２接続端子と電気的接続を形成することを特徴とする、ユニバーサルシリアルバス応用装置。
【請求項３】
ＵＳＢプラグを具え、該ＵＳＢプラグ内部に載置板が設けられ、該載置板の上表面に複数の第１接続端子が固定され、該第１接続端子が、ＶＣＣ電源回路、ＧＮＤ電源回路、第１データ伝送回路及び第２データ伝送回路を包含し、並びに該第１接続端子を未設置の載置板の上表面部分に少なくとも一つのデータ伝送回路が増設されたことを特徴とする、ユニバーサルシリアルバス応用装置。
【請求項４】
ＵＳＢプラグにＵＳＢ電子応用モジュールが接続され、該ＵＳＢプラグがケース層で載置板を被覆してなり、該載置板の上表面とケース層の間に接続挟持層が形成され、該載置板の厚さの縮減により、ＵＳＢプラグの厚さが０．４ｃｍより小さくされて標準Ｓｅｒｉｅｓ  Ａ  ＵＳＢソケットと相互に接続可能とされたことを特徴とする、ユニバーサルシリアルバス応用装置。
【発明の詳細な説明】
【技術分野】
【０００１】
本発明は一種のユニバーサルシリアルバス（ＵＳＢ）応用装置に係り、特に、プリント回路板をＵＳＢプラグとする内部載置板の構造に係り、ＵＳＢ応用装置の長さを縮減でき、また、ＵＳＢ応用装置の作業機能を向上できるＵＳＢ応用装置に関する。
【背景技術】
【０００２】
ＵＳＢ伝送インタフェースはユーザーに使用上の敏捷性、拡張性及び高い伝送速度等の長所を提供する特徴を具え、このため各種コンピュータ周辺装置、情報家電製品（ＩＡ）或いは３Ｃ消費性電子製品中に広く応用され、現代の人々の作業と家庭生活中の不可欠の伝送インタフェースツールである。
【０００３】
周知のＵＳＢ装置側の構造は、図１及び図２に示されるようであり、それはＵＳＢＵＳＢプラグ１１（Ｓｅｒｉｅｓ  Ａ  Ｐｌｕｇ）を具えたＵＳＢ応用装置１０、例えば携帯型ディスク、ＭＰ３プレイヤー或いは録音ペン等の保存メモリ装置であり、その前端はＵＳＢプラグ１１とされ、該ＵＳＢプラグの外部構造は金属ケース層１１３が環状に載置板１１１を被覆し、該載置板１１１の底表面がケース層１１３の内部下表面に緊密に接合され、載置板１１１の上表面とケース層１１３の内部上表面との間に、ＵＳＢソケット７１（Ｓｅｒｉｅｓ  Ａ  Ｒｅｃｅｐｔａｃｌｅ）（図１０）との接続に供される接続挟持層１１５が形成されている。
【０００４】
また、載置板１１１の上表面には複数の接続端子１３が固定され、それはＶＣＣ電源回路１３１、ＧＮＤ電源回路１３７、Ｄ＋データ伝送回路１３３及びＤ−データ伝送回路１３５とされ、そのうちＤ＋データ伝送回路１３３及びＤ−データ伝送回路１３５はデータ伝送に用いられ、ＶＣＣ電源回路１３１とＧＮＤ電源回路１３７はＵＳＢホスト或いは電源供給器の提供する作業電流を受け取ることができる。
【０００５】
また、ＵＳＢプラグ１１の後端に長さがＬ１のＵＳＢ電子応用モジュール１５が接続され、該ＵＳＢ電子応用モジュール１５はケース層１５５で回路板１５７が被覆され、並びに回路板１５７の表面にデータを保存できるメモリ装置１５３と制御回路１５１が設けられ、該制御回路１５１の両端がそれぞれメモリ装置１５３と接続端子１３に接続され、並びに該制御回路１５１がメモリ装置１５３と接続端子１３の間のデータ伝送或いは保存の制御装置とされてなる。このほか、保護キャップ１７が設けられ、該保護キャップ１７は外部よりＵＳＢプラグ１１を被覆してＵＳＢプラグ１１を保護する目的を達成する。
【０００６】
上述のＵＳＢ応用装置１０において、載置板１１１は実心の樹脂材料とされ、その唯一の機能はＵＳＢ接続端子１３を載置及び固定することであるが、ＵＳＢプラグ１１の相当大きな体積部分を占拠し、ＵＳＢ応用装置１０の体積或いは長さを縮減できない原因となり、ＵＳＢ応用装置１０の製造コスト或いは携帯便利性のいずれに対しても、相当程度の浪費と不便を形成する。
【０００７】
また、周知のＵＳＢプラグ１１において、載置板１１１の上表面にはＶＣＣ電源回路１３１、ＧＮＤ電源回路１３７、Ｄ＋データ伝送回路１３３及びＤ−データ伝送回路１３５しか存在せず、そのデータ伝送回路は明らかに不足し、このため、その作業機能もまた制限され、完全には現在の情報時代の情報製品機能に対する要求を満足させられない。
【０００８】
また、周知のＵＳＢ応用装置１０の保護キャップ１７は、外部よりＵＳＢプラグ１１の外表面に固定されるが、このような固定方式はＵＳＢプラグ１１を保護する目的を達成できるものの、ＵＳＢ応用装置１０の全体体積を増す。
【０００９】
また、周知のＵＳＢプラグ１１とＵＳＢケース層１５５は異なる材料で形成され、ゆえに製造過程で、両者は先ず個別に形成された後に接合される。このため、製造上の複雑さが増し、且つ接合過程中に接合効果不良の情況により、ＵＳＢプラグ１１とＵＳＢケース層１５５の間にぐらつきが発生し、長期の使用でＵＳＢ応用装置１０の内部接続回路の毀損が形成される。
【発明の開示】
【発明が解決しようとする課題】
【００１０】
ゆえに、上述のＵＳＢプラグとＵＳＢ応用装置の構造上の欠点に対して、いかに新規なＵＳＢ応用装置の構造を提供して有効にＵＳＢ応用装置の長さを縮小し、且つＵＳＢ応用装置の作業機能を増すかが本発明の発明の重点である。
【００１１】
本発明の主要な目的は、一種のＵＳＢ応用装置を提供することにあり、それは、プリント回路板載置板を周知の載置板の代わりに採用し、並びに該プリント回路板載置板の底表面とＵＳＢプラグケース層の間に形成される板底挟持層内に少なくとも一つのＩＣ回路或いは少なくとも一つの電子装置を固定し、これによりＵＳＢ応用装置の長さを縮減するか、或いはＵＳＢ応用装置の作業機能を増すものとする。
【００１２】
本発明の次の目的は、一種のＵＳＢ応用装置を提供することにあり、それは、単一ＵＳＢプラグ内にその他のデータ伝送回路を設け、これによりＵＳＢ応用装置の信号伝送周波数幅と伝送速度を増すのみならず、その作業機能を向上するものとする。
【００１３】
本発明のまた別の目的は、一種のＵＳＢ応用装置を提供することにあり、それは、保護ＵＳＢプラグを直接載置板の上表面及びケース層の間に保留された接続挟持層内に挿入でき、これによりＵＳＢプラグ保護を達成するのみならず、ＵＳＢ応用装置の全体体積を有効に縮小するものとする。
【００１４】
本発明の別の目的は、一種のＵＳＢ応用装置を提供することにあり、それは、ＵＳＢプラグのケース層及びＵＳＢモジュールケース層を同じ材料で形成し、並びに一体成形の方式で形成することにより、ＵＳＢ応用装置の製造フローを減らすと共に製造コストを低減できるものとする。
【００１５】
本発明の更に別の目的は、一種のＵＳＢ応用装置を提供することにあり、それは、接続挟持層の収容空間を改変しない情況で、ＵＳＢプラグ内部の載置板の厚さを縮減し、ＵＳＢプラグ厚さの縮減を達成するものとする。
【００１６】
上述の目的を達成するため、本発明のＵＳＢ応用装置は、ＵＳＢプラグにＵＳＢ電子応用モジュールが接続され、該ＵＳＢプラグがケース層で載置板を被覆してなり、載置板の上表面とケース層の間に接続挟持層を形成し、並びに載置板の上表面にＵＳＢ電子応用モジュールと電気的に接続可能な複数の第１接続端子が固定され、接続挟持層が対応するＵＳＢソケットと接続可能とされ、且つＵＳＢソケットが接続挟持層内に挿入されるときに、第１接続端子がＵＳＢソケット内の第２接続端子と電気的に接続され、また、ＵＳＢプラグ内部の載置板の底表面とケース層の間に板底挟持層が形成され、並びに載置板の底表面に少なくとも一つの電子装置が固定されている。
【００１７】
また本発明はもう一種のＵＳＢ応用装置を提供し、それは、ＵＳＢプラグでＵＳＢ電子応用モジュールに接続され、該ＵＳＢプラグがケース層で載置板を被覆してなり、載置板の上表面とケース層の間に接続挟持層が形成され、載置板の厚さの縮減により、ＵＳＢプラグの厚さが０．４ｃｍより低くされ、並びに標準のＳｅｒｉｅｓ  Ａ  ＵＳＢソケットと相互に接続可能とされる。
【課題を解決するための手段】
【００１８】
請求項１の発明は、ＵＳＢプラグにＵＳＢ電子応用モジュールが接続され、該ＵＳＢプラグがケース層で載置板を被覆してなり、該載置板の上表面とケース層の間に接続挟持層が形成され、並びに載置板の上表面にＵＳＢ電子応用モジュールと電気的に接続可能な複数の第１接続端子が固定され、該接続挟持層が対応するＵＳＢソケットとの接続に供され、且つＵＳＢソケットが接続挟持層に挿入される時、該第１接続端子がＵＳＢソケット内に固定された複数の第２接続端子と電気的接続を形成し、またＵＳＢプラグ内部の載置板の底表面とケース層の間に板底挟持層が形成され、該載置板の底表面に少なくとも一つの電子装置が固定されたことを特徴とする、ユニバーサルシリアルバス応用装置としている。
請求項２の発明は、ＵＳＢプラグにＵＳＢ電子応用モジュールが接続され、該ＵＳＢプラグが非金属ケース層で載置板を被覆してなり、該載置板の上表面とケース層の間に接続挟持層が形成され、並びに載置板の上表面にＵＳＢ電子応用モジュールと電気的に接続可能な複数の第１接続端子が固定され、該接続挟持層が対応するＵＳＢソケットとの接続に供され、且つＵＳＢソケットが接続挟持層に挿入される時、該第１接続端子がＵＳＢソケット内に固定された複数の第２接続端子と電気的接続を形成することを特徴とする、ユニバーサルシリアルバス応用装置としている。
請求項３の発明は、ＵＳＢプラグを具え、該ＵＳＢプラグ内部に載置板が設けられ、該載置板の上表面に複数の第１接続端子が固定され、該第１接続端子が、ＶＣＣ電源回路、ＧＮＤ電源回路、第１データ伝送回路及び第２データ伝送回路を包含し、並びに該第１接続端子を未設置の載置板の上表面部分に少なくとも一つのデータ伝送回路が増設されたことを特徴とする、ユニバーサルシリアルバス応用装置としている。
請求項４の発明は、ＵＳＢプラグにＵＳＢ電子応用モジュールが接続され、該ＵＳＢプラグがケース層で載置板を被覆してなり、該載置板の上表面とケース層の間に接続挟持層が形成され、該載置板の厚さの縮減により、ＵＳＢプラグの厚さが０．４ｃｍより小さくされて標準Ｓｅｒｉｅｓ  Ａ  ＵＳＢソケットと相互に接続可能とされたことを特徴とする、ユニバーサルシリアルバス応用装置としている。
【発明の効果】
【００１９】
本発明のＵＳＢ応用装置は、ケース層で載置板を被覆してなるＵＳＢプラグを具え、該載置板の上表面が複数の第１接続端子を載置するのに用いられ、該載置板の底表面とＵＳＢプラグのケーシング層の間に自然に板底挟持層が形成され、板底挟持層内部に少なくとも一つの電子装置が固定され、ＵＳＢ電子応用モジュールの長さを縮減でき、或いはＵＳＢ電子応用モジュールの作業機能を増すことができる。また載置板の第１接続端子未設置の上表面に、少なくとも一つの板上データ伝送回路を増設可能で、これによりユニバーサルシリアルバス応用装置の作業機能を向上できる。
【発明を実施するための最良の形態】
【００２０】
図３及び図４は本発明のＵＳＢ応用装置の好ましい実施例の立体図及び局部断面図である。図示されるように、本発明のＵＳＢ応用装置２０は、例えばメモリ、携帯型ディスク、ブルートゥース、デジタルカメラ、ＭＰ３プレイヤー、制御回路、ＧＰＳ、録音ペン、テレビ受信モジュール、及び無線ネットワークカードモジュールのいずれかとされ、その前端にＵＳＢプラグ（Ｓｅｒｉｅｓ  Ａ  Ｐｌｕｇ）２１が設けられ、ＵＳＢプラグ２１の後端にＵＳＢ電子応用モジュール２５が接続されている。そのうちＵＳＢプラグ２１はケース層２１３内にプリント回路板で形成されたプリント回路板載置板２１１を被覆してなり、プリント回路板載置板２１１の上表面とケース層２１３の間に接続挟持層２１５が形成され、該接続挟持層２１５はＵＳＢソケット７０（Ｓｅｒｉｅｓ  Ａ  ＲＥｃｅｐｔａｃｌｅ）（図１０参照）との接続に供され、接続挟持層２１５内のプリント回路板載置板２１１の上表面にＵＳＢ電子応用モジュール２５と電気的に接続可能な複数の第１接続端子２３が載置されている。接続挟持層２１５と対応するＵＳＢソケット７０が接続される時、第１接続端子２３はＵＳＢソケット７０内の第２接続端子７１（図１０参照）と電気的に接続される。
【００２１】
また、該プリント回路板載置板２１１の底表面とケース層２１３の間にも板底挟持層２１７が形成され、該板底挟持層２１７内部に少なくとも一つの電子装置２４或いは板底データ伝送回路が設置され、該電子装置２４は別の一組の作業機能を増加できる作業装置とされる。板底データ伝送回路は伝送機能を増し、これによりＵＳＢ応用装置２０の作業機能を増す。このほか、ＵＳＢプラグ２１のケース層２１３はプラスチック、プラスチックスチール、或いはポリマー等非金属材料で形成され、並びにＵＳＢ電子応用モジュール２５のモジュールケース層２５５と一体成形の方式で設置される。ＵＳＢプラグ２１の内部のプリント回路板載置板２１１もまたＵＳＢ電子応用モジュール２５内部の応用回路板２５７と一体成形の方式で形成されうる。
【００２２】
また、ＵＳＢプラグ２１のサイズに合わせて保護ＵＳＢプラグ２７が設けられ、該保護ＵＳＢプラグ２７の構造は露出端２７１が横向きに挿入端２７３に接続され、そのうち、挿入端２７３の断面積は接続挟持層２１５の断面積より小さく、これにより保護ＵＳＢプラグ２７の挿入端２７３が直接接続挟持層２１５内部に挿入可能とされ、ＵＳＢプラグ２１を保護するのみならず、ＵＳＢ応用装置２０の体積を縮小できる。また、挿入端２７３の外表面に少なくとも一つの固定装置２７５を増設可能で、固定装置２７５は係止突起に設計可能であり、これにより保護ＵＳＢプラグ２７をＵＳＢプラグ２１に強固に固定できる。保護ＵＳＢプラグ２７を取り出したい時は、固定装置２７５を押圧して保護ＵＳＢプラグ２７を抜き取ればよい。また、保護ＵＳＢプラグ２７の露出端２７１の断面積はＵＳＢプラグ２１のケース層２１３の断面積より大きく、これにより保護ＵＳＢプラグ２７の抜き取り動作に有利とされている。
【００２３】
さらに、図５は本発明の別の実施例の底面構造断面図である。図示されるように、ＵＳＢ応用装置２００中のプリント回路板載置板２１１の底表面には制御回路２５１が設置され、周知の載置板１１１の厚さは約１．０ｍｍから２ｍｍであり、一般にプリント回路板載置板２１１の厚さは約０．３ｍｍから０．７ｍｍであり、且つ制御回路２５１の厚さは約１．２ｍｍから０．６５ｍｍであり、これによりプリント回路板載置板２１１と制御回路２５１を重ねた後の総合厚さは周知のＵＳＢ応用装置１０の載置板１１１の厚さより小さい。これにより、もともとＵＳＢ電子応用モジュール２５内に設けられていた一部電子装置或いは制御回路２５１がプリント回路板載置板２１１の底表面とケース層２１３の間に形成された板底挟持層２１７内部に置かれ、並びに該制御回路２５１が第１接続端子２３及びＵＳＢ電子応用モジュール２５内のメモリ装置２５３の接続インタフェースとされることにより、本発明のＵＳＢ電子応用モジュール２５の長さＬ２が周知のＵＳＢ電子応用モジュール１５の長さＬ１より短縮され、これにより大幅にＵＳＢ応用装置の長さを短縮できる。
【００２４】
また、上述のＵＳＢ電子応用モジュール２５はモジュールケース層２５５で応用回路板２５７を被覆してなり、該応用回路板２５７とＵＳＢプラグ２１内部のプリント回路板載置板２１１は一体成形方式で形成され、これにより周知の技術中の、別個に二つの異なる部品を製造してから接合するステップを省略でき、有効に製造工程にかかる時間を短縮でき、並びに製造コストを減らすことができる。また、プリント回路板載置板２１１及び応用回路板２５７が一体成形方式で設置される時、全体構造の強度が増されるほか、装置間の回路接続の安定度が増し、これによりＵＳＢ応用装置２００の耐用性が増す。
【００２５】
また、上述のＵＳＢプラグ２１内部のプリント回路板載置板２１１の底表面とケース層２１３の間に形成される板底挟持層２１７内部に、少なくとも一つの支持装置２１８を増設可能であり、該支持装置２１８は該板底挟持層２１７のサイズを安定させ、並びに板底挟持層２１７が力を受けて変形する情況を防止する。また、該板底挟持層２１７の外界との接続面に前端保護層２１９が設けられ、該前端保護層２１９の設置により該板底挟持層２１７内部の電子装置２４或いは制御回路２５１が保護され、また板底挟持層２１７構造が強化される。
【００２６】
続いて、本発明のまた別の実施例は図６に示されるようであり、この実施例では、プリント回路板載置板２１１の上表面に複数の第１接続端子２３が設けられ、該第１接続端子２３がＶＣＣ電源回路２３１、ＧＮＤ電源回路２３７、第１データ伝送回路２３３及び第２データ伝送回路２３５を具えている。そのうち、第１データ伝送回路２３３及び第２データ伝送回路２３５は相互に対応するＤ＋／Ｄ−差分対伝送回路に設計可能で、ＵＳＢ構造の雑音防止能力を増すのに有利であり、これは一般に周知のＵＳＢ構造の如しである。また、プリント回路板載置板２１１の上表面のその他の部分の位置に第３データ伝送回路３２２、第４データ伝送回路３２３及び第５データ伝送回路３２１が設けられている。且つ別の実施例では、プリント回路板載置板２１１上の各データ伝送回路（第１データ伝送回路２３３、第２データ伝送回路２３５、第３データ伝送回路３２２、第４データ伝送回路３２３、第５データ伝送回路３２１）の後端の底部空隙３２０に底部データ伝送回路３２が増設され、該底部データ伝送回路３２は第６データ伝送回路３２４、第７データ伝送回路３２５、第８データ伝送回路３２６或いは第９データ伝送回路３２７が増設され、それは第１データ伝送回路２３３、第２データ伝送回路２３５、第３データ伝送回路３２２、第４データ伝送回路３２３、第５データ伝送回路３２１と共同でｓｉｇｎａｌ  ０（ｃｌｏｃｋ）、ｓｉｇｎａｌ  １〜ｓｉｇｎａｌ  ３、ｓｉｇｎａｌ  ５〜ｓｉｇｎａｌ
８の第３バス信号伝送線（ｃｌｏｃｋ＋８−ｂｉｔ  ｄａｔａ  ｂｕｓ）を組成し、これによりそのＵＳＢ応用装置２０の作業項目及び作業機能を増すことができる。
【００２７】
当然、本発明の更に別の実施例では、その第１データ伝送回路２３３と第２データ伝送回路２３５は非Ｄ＋／Ｄ−差分対規格の伝送回路に設計され、データの伝送を行なうものとされる。
【００２８】
このほか、図７と図８は本発明のＵＳＢ応用装置の更に別の実施例の立体図及び局部構造断面図である。図示されるように、この実施例ではＵＳＢ伝送インタフェースを具えたＵＳＢ応用装置は、ＵＳＢプラグ４１を具え、並びにＵＳＢプラグ４１の後端にＵＳＢ電子応用モジュール４５が接続されている。本実施例中に記載されるＵＳＢ応用装置４０はＵＳＢ接続線とされ、該ＵＳＢプラグ４１はケース層４１３でプリント回路板載置板４１１を被覆してなり、プリント回路板載置板４１１の上表面に第１接続端子４３が設置され、該第１接続端子４３はＶＣＣ電源回路４３１、ＧＮＤ電源回路４３７、第１データ伝送回路４３３、第２データ伝送回路４３５を具え、並びにプリント回路板載置板４１１の第１接続端子４３を未設置の上表面に、少なくとも一つの底部データ伝送回路４３２が増設されている。
【００２９】
また、該プリント回路板載置板４１１の底表面とケース層４１３の間に板底挟持層４１７が形成され、それは電子装置或いは別の一組の板底データ伝送回路４９を収容し、該板底データ伝送回路４９はＵＳＢソケット７０（図１０）に対応する伝送回路が設けられた情況で、第２組の信号を伝送するのに用いられ、こうしてＵＳＢ接続線の伝送速度或いは作業機能を高めることができる。ＵＳＢソケット７０（図１０）に対応する伝送回路が設けられていない時、該ＵＳＢプラグ４０はまた第１データ伝送回路４３３、第２データ伝送回路４３５で周知のデータ伝送を行なう。
【００３０】
また、本実施例中、ＵＳＢプラグ４１内部のプリント回路板載置板４１１は回路板特性を具備しない材料で形成可能で、こうして、プリント回路板載置板４１１の材料は更に多元とされる。
【００３１】
また、図９は本発明のＵＳＢ応用装置のまた別の実施例の立体図であり、この実施例では、ＵＳＢプラグ５１はＵＳＢ電子応用モジュール５５に接続され、そのうちＵＳＢプラグ５１はケース層５１３で載置板５１１を被覆してなり、該載置板５１１の厚さは縮減され、これによりＵＳＢプラグ５１の厚さＨ２は周知のＵＳＢプラグ１１の厚さＨ１より小さく、この実施例では、ＵＳＢプラグ５１の厚さＨ２は０．４ｃｍより小さい。例えば、載置板５１１の厚さが約０．３ｍｍから１ｍｍで、接続挟持層５１５の厚さが約１．５ｍｍから２．５ｍｍであれば、両者を重ね合わせた後の総合厚さは約１．８ｍｍから３．５ｍｍであり、更にケース層５１３で該載置板５１１と接続挟持層５１５を被覆すると、ＵＳＢプラグ５１の最良の厚さは０．２５ｃｍから０．４ｃｍの間となる。
【００３２】
このほか、載置板５１１の上表面とケース層５１３の間に形成される接続挟持層５１５はは周知の接続挟持層１１５の収容空間と同じであり、これによりＵＳＢプラグ５１は周知のＵＳＢソケット７０と相互に接続可能で、並びにデータ伝送の目的を達成できる。また、ＵＳＢ電子応用モジュール５５の厚さをＵＳＢプラグ５１の厚さＨ２に合わせて縮減すると、ＵＳＢ応用装置５０の厚さを有効に減らすことができ、これによりＵＳＢ応用装置５０がカード式の応用装置のようになる。
【００３３】
最後に図１０は本発明のＵＳＢ応用装置の別の実施例の立体図である。図示されるように、本実施例のＵＳＢ伝送インタフェースを具えたＵＳＢ応用装置６０のＵＳＢプラグ６１のケース層６１３及びＵＳＢプラグ６１後端に接続されたＵＳＢ電子応用モジュール６５のモジュールケース層６５５は一体成形の方式で設置され、ＵＳＢケース層６００を形成し、該ＵＳＢケース層６００の材料はプラスチック、プラスチックスチール、或いはポリマー等非金属材料を選択可能で、これにより周知のケース層とモジュールケース層を別個に形成後に接合するステップを省略でき、これにより製造工程を減らすと共に生産効率を高めることができる。
【００３４】
またＵＳＢケース層６００に異なる材料を選択して、ＵＳＢ応用装置６０の外観変化と製造コストダウンの目的を達成することもでき、例えばプラスチックをＵＳＢケース層６００の材料に選択する時、プラスチックの価格は金属より低いため、原料に使用されるコストを減らすことができる。且つプラスチックの重量は金属より軽いため、ＵＳＢ応用装置６０の重量を減らすことができる。当然、プラスチック材料を選択してＵＳＢケース層６００を形成する時、その接続インタフェース辺縁は周知の金属材料のように鋭利でなく、これにより、その使用上の安全性を高めることができる。また、ＵＳＢケース層６００の材料を改変は、ＵＳＢ応用装置６０の外観に相当な程度の影響を与えることができ、これによりＵＳＢ応用装置６０の選択種類を増せるのみならず、その全体外観を美化し、消費意欲を刺激することができる。
【００３５】
このほか、本発明の前述の実施例はいずれも一つの回路板を材料としてプリント回路板載置板を製造しているが、本発明の異なる実施例では、載置板をその他の非回路板材料、例えばプラスチック、プラスチックスチール、或いは各種ポリマー等で製造することも可能であり、同様に本発明の目的と機能を達成できる。
以上は本発明の実施例の説明であって本発明の範囲を限定するものではなく、本発明に基づきなしうる細部の修飾或いは改変は、いずれも本発明の請求範囲に属するものとする。
【図面の簡単な説明】
【００３６】
【図１】周知のＵＳＢ応用装置の立体図である。
【図２】周知のＵＳＢ応用装置の断面図である。
【図３】本発明のＵＳＢ応用装置の実施例の立体図である。
【図４】図３の実施例の局部構造断面図である。
【図５】本発明のＵＳＢ応用装置の別の実施例の底面構造断面図である。
【図６】本発明のＵＳＢ応用装置のまた別の実施例の立体図である。
【図７】本発明のＵＳＢ応用装置のまた別の実施例の立体図である。
【図８】本発明のＵＳＢ応用装置の図７の実施例の局部構造断面図である。
【図９】本発明のＵＳＢ応用装置のまた別の実施例の立体図である。
【図１０】本発明のＵＳＢ応用装置のまた別の実施例の立体図である。
【符号の説明】
【００３７】
１０  ＵＳＢ応用装置                １１  ＵＳＢプラグ
１１１  載置板                      １１３  ケース層
１１５  接続挟持層                  １３  接続端子
１３１  ＶＣＣ電源回路              １３３  Ｄ＋データ伝送回路
１３５  Ｄ−データ伝送回路          １３７  ＧＮＤ電源回路
１５  ＵＳＢ電子応用モジュール      １５１  制御回路
１５３  メモリ装置                  １５５  ケース層
１５７  回路板                      １７  保護キャップ
２０  ＵＳＢ応用装置                ２００  ＵＳＢ応用装置
２１  ＵＳＢプラグ                  ２１１  プリント回路板載置板
２１３  ケース層                    ２１５  接続挟持層
２１７  板底挟持層                  ２１８  支持構造
２１９  前端保護層                  ２３  第１接続端子
２３１  ＶＣＣ電源回路              ２３３  第１データ伝送回路
２３５  第２データ伝送回路          ２３７  ＧＮＤ電源回路
２４  電子装置                      ２５  ＵＳＢ電子応用モジュール
２５１  制御回路                    ２５３  メモリ装置
２５５  モジュールケース層          ２５７  応用回路板
２７  保護プラグ                    ２７１  露出端
２７３  挿入端                      ２７５  固定装置
３２  底部データ伝送回路            ３２０  底部空隙
３２１  第５データ伝送回路          ３２２  第３データ伝送回路
３２３  第４データ伝送回路          ３２４  第６データ伝送回路
３２５  第７データ伝送回路          ３２６  第８データ伝送回路
３２７  第９データ伝送回路          ４０  ＵＳＢ電子応用モジュール
４１  ＵＳＢプラグ                  ４１１  プリント回路板載置板
４１３  ケース層                    ４１７  板底挟持層
４３  第１接続端子                  ４３３  第１データ伝送回路
４３５  第２データ伝送回路          ４３７  ＧＮＤ電源回路
４５  ＵＳＢ電子応用モジュール      ４９  板底データ伝送回路
５０  ＵＳＢ応用装置                ５１  ＵＳＢプラグ
５１３  ケース層                    ５５  ＵＳＢ電子応用モジュール
５５５  モジュールケース層          ６０  ＵＳＢ応用装置
６００  ＵＳＢケース層              ６１  ＵＳＢプラグ
６１３  ケース層                    ７０  ＵＳＢソケット
７１  第２接続端子
【図１】
2006128061.tif 000003
【図２】
2006128061.tif 000004
【図３】
2006128061.tif 000005
【図４】
2006128061.tif 000006
【図５】
2006128061.tif 000007
【図６】
2006128061.tif 000008
【図７】
2006128061.tif 000009
【図８】
2006128061.tif 000010
【図９】
2006128061.tif 000011
【図１０】
2006128061.tif 000012
【手続補正書】
【提出日】平成17年3月14日(2005.3.14)
【手続補正１】
【補正対象書類名】図面
【補正対象項目名】図９
【補正方法】変更
【補正の内容】
【図９】
2006128061.tif 000013
【手続補正２】
【補正対象書類名】図面
【補正対象項目名】図１０
【補正方法】変更
【補正の内容】
【図１０】
2006128061.tif 000014